(57)【要約】【課題】外交員が出先で容易に行うことができ、かつ、所望の照合精度が得られる印影照合方法を実現する。【解決手段】ＬＥＤを発光源として出射口から指向性の強い白色の照明光を発出するスマートフォン1の照明光源を用い、透明板２ａの一表面に光拡散層２ｂが設けられた光拡散板２を光拡散層２ｂが設けられた面を照明光源窓口１ｂの反対側に位置する姿勢となるように照明光源の照明光源窓口に対面させて配置し、光拡散板の外側に登録印影３ａが形成された書面３と使用印影４ａが形成された書面４を重ねて載置して拡散した照明光を照射することにより、２つの印影を重ねるように透かし見て両者の重なりの一致の程度に基づいて２つの印影の一致・不一致（同一性）を判定する。【選択図】図２
2018206011.tif 000002
【特許請求の範囲】
【請求項１】
ＬＥＤを発光源として出射口から指向性の強い白色の照明光を発出する携帯型の照明光源を用い、透明板の一表面に光拡散層が設けられた照明支援具を前記光拡散層が設けられた面を前記出射口の反対側に位置する姿勢となるように前記照明光源の出射口に対面させて配置し、前記照明支援具の外側に登録印影が形成された書面と使用印影が形成された書面を重ねて載置して前記照明支援具で拡散した照明光を照射することにより、前記２つの印影を重ねるように透かし見て両者の重なりの一致の程度に基づいて２つの印影の同一性を判定する印影照合方法。
【請求項２】
請求項１において、前記照明光源は、ＬＥＤを発光源として白色の照明光を発出する携帯通信端末機であることを特徴とする印影照合方法。
【請求項３】
請求項１において、前記照明光源は、ＬＥＤを発光源として白色の照明光を発出する小型の発光器であることを特徴とする印影照合方法。
【請求項４】
請求項１〜３のいずれか一項において、前記照明支援具は、プラスチック透明板の一表面に光拡散層を設けた構成であることを特徴とする印影照合方法。
【請求項５】
請求項1〜３のいずれか一項の印影照合方法に使用する照明支援具であって、該照明支援具は、プラスチック透明板の一表面に光拡散層を設けた構成であることを特徴とする照明支援具。
【請求項６】
請求項1〜２又は４のいずれか一項の印影照合方法に使用する照明光源であって、該照明光源は、ＬＥＤを発光源として白色の照明光を発出する小型の発光器であることを特徴とする照明光源。
【発明の詳細な説明】
【技術分野】
【０００１】
本発明は、印影照合方法及びその支援具に関する。
【背景技術】
【０００２】
契約を伴う各種の業務行為においては、契約書作成行為時であれば、契約書に捺印又は押印される印鑑の印影（使用印影）と契約者の印鑑登録されている印鑑の印影（登録印影）の同一性照合、契約事項に関する契約事項行為時であれば、契約事項行為のための書類に押された印影（使用印影）と契約書に押されている印影（登録印影）の同一性を確認するための印影同一性（印鑑同一性）照合作業が行われる。
【０００３】
この印影の同一性確認のための印影の照合作業は、使用印影が押されている書面と登録印影が押されている書面を両印影が重なるように重ね合わせ、重ねた２枚の書面を透かし見て２つの印影が一致するか否かを目視する透かし照合方法や、２枚の書面の印影を交互に繰り返し目視して２つの印影の一致度を視認する残像照合方法や、２つの印影をスキャナーで読み取って電子データ化して照合する電子照合方法がある。
【０００４】
透かし照合方法は、重ねた２枚の書面を透過する強さの光で透かし見て２つの印影の重なり具合（一致の程度）を目視して一致・不一致（同一性）を視認する方法であり、一般には、蛍光灯などの大型の照明器具を光源として使用して行われる。
【０００５】
残像照合方法は、登録印影と使用印影を交互に繰り返し目視することにより両印影の残像を比較して一致・不一致（同一性）を視認するように行われる。
【０００６】
電子照合方法は、登録印影が電子データの形態で保管されている場合には、使用印影をスキャナーで読み取って電子データ化し、両電子データを比較することにより２つの印影の一致・不一致（同一性）を判定するよう行われる。
【先行技術文献】
【特許文献】
【０００７】
【特許文献１】特開2016−21168号公報
【発明の概要】
【発明が解決しようとする課題】
【０００８】
従来の印影照合方法において、透かし照合方法は、蛍光灯などの大型の照明光源を使用することから、外交員が出先で行うことが困難である。
【０００９】
また、残像照合方法は、目視における残像現象を利用する比較判定であることから、実用的な所望の照合精度を得るためには熟練が必要であり、容易な印影照合方法とはいえない。
【００１０】
そして、電子照合方法は、印影を電子データに変換するためのスキャナーや電子データ比較のための電子データ比較処理装置が必要であることから、外交員が出先で行うことが困難である。
【００１１】
結局、従来の印影照合方法は、外交員が出先で容易に行うことができず、かつ、所望の照合精度を得ることができない。
【００１２】
本発明の１つの目的は、外交員が出先で容易に行うことができ、かつ、所望の照合精度が得られる印影照合方法とその支援具を提供することにある。
【００１３】
本発明の他の目的は、手軽な支援具を使用して、外交員が手軽に持ち歩いて出先で容易に行うことができ、かつ、所望の照合精度が得られる印影照合方法とその支援具を提供することにある。
【課題を解決するための手段】
【００１４】
本発明の印影照合方法は、ＬＥＤを発光源として出射口から指向性の強い白色の照明光を発出する携帯型の照明光源を用い、透明板の一表面に光拡散層が設けられた照明支援具を前記光拡散層が設けられた面を前記出射口の反対側に位置する姿勢となるように前記照明光源の出射口に対面させて配置し、前記照明支援具の外側に登録印影が形成された書面と使用印影が形成された書面を重ねて載置して前記照明支援具で拡散した照明光を照射することにより、前記２つの印影を重ねるように透かし見て両者の重なりの一致の程度に基づいて２つの印影の一致・不一致（同一性）を判定することができるようにするものである。
【００１５】
そして、前記照明光源は、ＬＥＤを発光源として白色の照明光を発出するガラパゴス携帯電話やスマートフォンなどの携帯通信端末機である。
【００１６】
また、前記照明光源は、ＬＥＤを発光源として白色の照明光を発出する小型の発光器である。
【００１７】
また、前記照明支援具は、プラスチック透明板の一表面に光拡散層を設けた構成である。
【発明の効果】
【００１８】
本発明は、ＬＥＤを発光源とする照明光源を備えたガラパゴス携帯電話やスマートフォンなどの携帯通信端末機のような照明光源から出射する白色の照明光を透明板の一表面に光拡散層が設けられた照明支援具によって拡散した形態で登録印影が形成された書面と使用印影が形成された書面を重ねた状態で照射して前記２つの印影を透かし見て両者の重なりの一致の程度を観察する方法であるので、外交員が出先で例えば携行するスマートフォンを照明光源として利用して容易に行うことができ、かつ、所望の照合精度が得られる。
【００１９】
また、ＬＥＤを発光源とする携帯型の照明光源とプラスチック透明板の一表面に光拡散層を設けた照明支援具の使用で足りるので、外交員が手軽に持ち歩いて出先で容易に印影照合を行うことができ、かつ、所望の照合精度が得られる。
【図面の簡単な説明】
【００２０】
【図１】本発明の第１の実施例を示すもので、印影照合方法を行うために組み合わせたスマートフォンと照明支援具の側面図である。
【図２】本発明の一実施例を示すもので、スマートフォンに組み合わせた照明支援具の上に登録印影が形成された書面と使用印影が形成された書面を重ねた状態で載せて照明し、２つの印影を重ねるように透かし見て両者の重なりの一致の程度を観察する印影照合方法を行っている状態を示す側面図である。
【図３】図２に示した印影照合方法を行っている状態を示す分解斜視図である。
【図４】本発明の第２の実施例を示すもので、印影照合方法を行うために組み合わせた照明専用の発光器と照明支援具の縦断側面図である。
【発明を実施するための形態】
【００２１】
本発明の印影照合方法は、ＬＥＤを発光源として出射口から指向性の強い白色の照明光を発出する携帯型の照明光源を用い、透明板の一表面に光拡散層が設けられた照明支援具を前記光拡散層が設けられた面を前記出射口の反対側に位置する姿勢となるように前記照明光源の出射口に対面させて配置し、前記照明支援具の外側に登録印影が形成された書面と使用印影が形成された書面を重ねて載置して前記照明支援具で拡散した照明光を照射することにより、前記２つの印影を重ねるように透かし見て両者の重なりの一致の程度に基づいて２つの印影の一致・不一致（同一性）を判定することができるようにして実施する。
【００２２】
そして、前記照明光源は、好ましくは、ＬＥＤを発光源として白色の照明光を発出するガラパゴス携帯電話やスマートフォンなどの携帯通信端末機を使用し、
通信端末機の携行することができない環境では、前記照明光源は、ＬＥＤを発光源として白色の照明光を発出する照明専用の小型の発光器とする。
【００２３】
前記照明支援具は、プラスチック透明板の一表面に光拡散層を設けた構成とする。
【実施例１】
【００２４】
図１は、外交員が連絡用等に一般的に携行するスマートフォンを照明光源として使用し、このスマートフォンから出射した指向性の強い白色の照明光をプラスチック透明板の一表面に光拡散層を設けた照明支援具により拡散し、この拡散光により登録印影が形成された書面（例えば印鑑証明書）と使用印影が形成された書面（例えば契約書）を重ねた状態で照らして前記２つの印影を重ねるように透かし見て両者の重なりの一致の程度を観察する印影照合方法を行うためのスマートフォンと照明支援具を例示している。
【００２５】
図１において、１は照明光源となるスマートフォンで、本体１ａの背面には、カメラレンズ窓口や照明光源窓口１ｂを備える。２は、照明支援具となる光拡散板で、アクリル透明板２ａの一表面に光拡散層２ｂが設けられている。
【００２６】
スマートフォン１の照明光源は、本体１ａに内蔵するカメラのための照明や懐中電灯として使用するためにＬＥＤを発光源として設けられ、照明光源窓口１ｂから指向性の強い照明光を出射する。
【００２７】
照明支援具である光拡散板２は、基本的には、アクリル透明板２ａの一表面に光拡散層２ｂを設けた構成である。アクリル透明板２ａは、一辺３０ｍｍ程度の正方形で５ｍｍ程度の厚さの構成とし、光拡散層２ｂは、微粒子ポリマーを塗布した６０〜１００ｍｍ程度の乳白色のポリ塩化ビニルフィルムを前記アクリル透明板２ａの一表面に貼付して設けた構成である。
【００２８】
一辺３０ｍｍの正方形とするアクリル透明板２ａ（光拡散板２）の寸法は、印鑑登録することができる印鑑（印影）の最大寸法（一辺が３０ｍｍの正方形に納まる印影）を考慮して設定している。
【００２９】
このようなスマートフォン1と光拡散板２により発生させた照明光によって登録印影が形成された書面と使用印影が形成された書面を重ねた状態で照らして前記２つの印影を重ねるように透かし見て両者の重なりの一致の程度を観察する印影照合方法について説明する。
【００３０】
図２及び図３は、スマートフォン1と光拡散板２を使用する印影照合方法を示しており、スマートフォン1と光拡散板２により照明光を発生し、登録印影３ａが形成された書面３と使用印影４ａが形成された書面４を重ねた状態で照らして前記２つの印影３ａ，４ａ重ねるように透かし見て両者の重なりの一致の程度を観察する印影照合方法を例示している。
【００３１】
スマートフォン１は、懐中電灯モードを選択して点灯状態とし、照明光源窓口１ｂを上向きにする姿勢でテーブルや床に置く。照明光源窓口１ｂの上に光拡散板２をアクリル透明板２ａが該照明光源窓口１ｂの側（光拡散層２ｂが照明光源窓口１ｂの反対側）に位置する姿勢となるように該照明光源窓口１ｂに対面させて配置する。そして、登録印影３ａが形成された書面３と使用印影４ａが形成された書面４を両印影３ａ，４ａが重なるように重ねた状態で前記光拡散板２の光拡散層２ｂ上に載置して照明する。
【００３２】
スマートフォン１が内蔵する発光源であるＬＥＤからは指向性の強い白色の照明光が発出して照明光源窓口１ｂから出射されるが、この指向性の強い照明光は、光拡散板２の光拡散層２ｂに拡散されて指向性がほぼ消滅して２枚の書面３，４を透過する。このように指向性が消滅した透過光は、２枚の書面３，４に形成されている２つの印影３ａ，４ａを重ねるように透かし見て両者の重なりの一致の程度を観察するのに好適な散乱光形態となる。
【００３３】
スマートフォン1のＬＥＤ光源は、具体的には、指向性の強い白色の照明光を出射するものが一般的な形態であるが、簡易で安価に構成することができる光拡散板２を透過させて光拡散させることによって指向性の少ない散乱光形態の照明光とすることができる。
【００３４】
また、光拡散板２の透明板２ａの材質は、アクリルのほかに、ポリカーボネート（ＰＣ）、ポリエステル（ＰＥｓ）、ポリエチレンテレフタレート（ＰＥＴ）などが使用可能である。
【００３５】
光拡散層２ｂは、微粒子ポリマーを塗布した乳白色の塩化ビニルフィルムによって構成したが、他の同様なフィルムや塗料によっても構成することができる。
【実施例２】
【００３６】
実施例１は、照明光源としてスマートフォンの照明光源を利用する構成であるが、通信端末機を携行することができない環境ではスマートフォンを使用することができない。このような環境において同様の印影照合方法を行うためには、通信機能を伴わない照明専用の発光器を用意して使用することにより実現することができる。
【００３７】
図４は、この第２の実施例における印影照合方法を行うために組み合わせた照明専用の発光器と照明支援具の縦断側面図である。
【００３８】
照明専用の小型の携帯型の発光器５は、本体ケース５ａ内に指向性の強い白色の照明光を発生するＬＥＤ発光源５ｂを設置し、照明光源窓口５ｃを通して照明光を出射する。照明光源窓口５ｃに設置する防塵透明板は、集光機能を持たない平板であることが望ましい。
【００３９】
なお、ＬＥＤ発光源５ｂに給電する電源（電池）や電源スイッチや発光量調整器や電気配線などは、周知技術で構成することができるので、図示説明は省略する。
【００４０】
この発光器５を使用して行う印影照合方法は、まず、発光器５を点灯状態にして照明光源窓口５ｃを上向きにする姿勢でテーブルや床に置く。次に、照明光源窓口５ｃの上に光拡散板２をアクリル透明板２ａが該照明光源窓口５ｃの側（光拡散層２ｂが照明光源窓口5ｃの反対側）に位置する姿勢となるように該照明光源窓口５ｃに対面させて配置する。そして、図示は省略するが、実施例１と同様に、登録印影３ａが形成された書面３と使用印影４ａが形成された書面４を両印影３ａ，４ａが重なるように重ねた状態で前記光拡散板２の光拡散層２ｂ上に載置して照明し、２枚の書面３，４に形成されている２つの印影３ａ，４ａを重ねるように透かし見て両者の重なりの一致の程度（同一性）を観察する。
【符号の説明】
【００４１】
１…スマートフォン
１ａ…本体
１ｂ…照明光源窓口
２…光拡散板
２ａ…アクリル透明板
２ｂ…光拡散層
３…書面
３ａ…登録印影
４…書面
４ａ…使用印影
５…発光器（照明専用の小型の携帯型）
５ｂ…ＬＥＤ発光源
５ｃ…照明光源窓口
【図１】
2018206011.tif 000003
【図２】
2018206011.tif 000004
【図３】
2018206011.tif 000005
【図４】
2018206011.tif 000006